(57)【要約】【課題】視聴者の脳の活性化を促すことができるコンテンツ提供装置を提供する。【解決手段】視聴対象のコンテンツの視聴者の能動的な対応を生起させる、前記コンテンツとは別の提示情報を、前記コンテンツに代えて表示用ディスプレイに表示させる条件の設定入力を受け付ける設定入力受付手段と、設定入力受付手段で受け付けた条件の設定入力を記憶する設定入力記憶手段と、提示情報を取得する提示情報取得手段とを設ける。タイミング判別手段は、設定入力記憶手段に記憶された設定入力された条件に合致するタイミングになったか否かを判別し、タイミング判別手段で条件に合致するタイミングになったと判別したときに、提示情報取得手段で取得した提示情報を視聴対象のコンテンツに代えて、表示用ディスプレイに出力して視聴者に提示する。【選択図】図１
2009005047.tif 000002
【特許請求の範囲】
【請求項１】
視聴対象のコンテンツを、表示用ディスプレイに出力する出力手段と、
前記コンテンツの視聴者の能動的な対応を生起させる、前記コンテンツとは別の提示情報を、前記コンテンツに代えて前記表示用ディスプレイに表示させる条件の設定入力を受け付ける設定入力受付手段と、
前記設定入力受付手段で受け付けた前記条件の設定入力を記憶する設定入力記憶手段と、
前記提示情報を取得する提示情報取得手段と、
前記設定入力記憶手段に記憶された前記設定入力された前記条件に合致するタイミングになったか否かを判別するタイミング判別手段と、
前記タイミング判別手段で前記条件に合致するタイミングになったと判別したときに、前記提示情報取得手段で取得した前記提示情報を前記コンテンツに代えて、前記出力手段を通じて前記表示用ディスプレイに出力して前記視聴者に提示するようにする提示情報提示手段と、
を備えることを特徴とするコンテンツ提供装置。
【請求項２】
請求項１に記載のコンテンツ提供装置において、
前記設定入力された前記条件に合致するタイミングは、電源の投入時である
ことを特徴とするコンテンツ提供装置。
【請求項３】
請求項１に記載のコンテンツ提供装置において、
前記設定入力された前記条件に合致する前記タイミングは、電源の投入時から一定時間後である
ことを特徴とするコンテンツ提供装置。
【請求項４】
請求項１に記載のコンテンツ提供装置において、
前記設定入力された前記条件に合致する前記タイミングは、電源の投入時を基準にした所定時間間隔である
ことを特徴とするコンテンツ提供装置。
【請求項５】
請求項１に記載のコンテンツ提供装置において、
前記設定入力された前記条件に合致する前記タイミングは、視聴者からの前記提示情報の表示開始の明示の指示があったときである
ことを特徴とするコンテンツ提供装置。
【請求項６】
請求項１に記載のコンテンツ提供装置において、
前記提示情報は、インタラクティブなコンテンツである
ことを特徴とするコンテンツ提供装置。
【請求項７】
請求項１に記載のコンテンツ提供装置において、
前記設定入力受付手段は、前記提示情報の指定も受け付け、
前記設定入力記憶手段は、前記指定された提示情報が何であるかの提示情報指定情報を記憶し、
提示情報提示手段は、前記タイミング判別手段で前記条件に合致するタイミングになったと判別したときに、前記設定入力記憶手段に記憶されている前記提示情報指定情報に基づいて前記提示情報取得手段で取得した前記提示情報を前記コンテンツに代えて前記表示用ディスプレイに出力して前記視聴者に提示する
ことを特徴とするコンテンツ提供装置。
【請求項８】
請求項１または請求項７に記載のコンテンツ提供装置において、
前記設定入力受付手段は、前記条件の設定入力が、いずれの視聴者についての設定入力であるかを識別するための視聴者識別用情報の設定入力を受け付けると共に、
前記コンテンツの視聴をする視聴者が、前記設定入力された視聴者のうちの誰であるかを、前記視聴者識別用情報を用いて識別する識別手段を備え、
前記タイミング判別手段で、前記識別手段で識別した視聴者についての前記設定入力された前記条件に合致するタイミングになったかどうかを判別する
ことを特徴とするコンテンツ提供装置。
【請求項９】
請求項１に記載のコンテンツ提供装置において、
前記コンテンツ提供装置は、テレビ受信機である
ことを特徴とするコンテンツ提供装置。
【請求項１０】
表示用ディスプレイに表示する視聴対象のコンテンツの視聴者の能動的な対応を生起させる、前記コンテンツとは別の提示情報を、前記コンテンツに代えて前記表示用ディスプレイに表示させる条件の設定入力を受け付ける設定入力受付工程と、
前記設定入力受付工程で受け付けられた前記条件の設定入力を記憶する設定入力記憶工程と、
前記提示情報を取得する提示情報取得工程と、
前記設定入力記憶工程で記憶された前記設定入力された前記条件に合致するタイミングになったか否かを判別するタイミング判別工程と、
前記タイミング判別工程で前記条件に合致するタイミングになったと判別したときに、前記提示情報取得工程で取得した前記提示情報を前記コンテンツに代えて前記表示用ディスプレイに表示して前記視聴者に提示する提示情報提示工程と、
を備えることを特徴とするコンテンツ表示制限方法。
【発明の詳細な説明】
【技術分野】
【０００１】
この発明は、コンテンツ提供装置およびコンテンツ表示制限方法に関する。
【背景技術】
【０００２】
例えば、テレビ受信機の電源をオンにして、視聴者が、視聴対象である放送番組コンテンツを視聴している状態には、当該視聴者が、自ら視聴したい放送番組があって、それを選択して視聴している状態もあれば、視聴者が意志を持たず、放送番組を選択することなく、漫然と視聴している状態もある。また、例えば電灯を点けると同じようにテレビ受信機の電源を、ついつい、オンにして放送番組を漫然と視聴してしまうこともある。
【０００３】
ところが、漫然とテレビの放送番組を視聴してしまう状態は、視聴者は脳を意識的に働かせる状態になく、脳の老化に影響があるおそれがある。したがって、この状態を長時間にわたって続けることを避けることが好ましい。
【０００４】
そこで、例えば特許文献１（特開２００６−３５２８１３号公報）には、テレビ受信機の電源プラグと、家庭の電源コンセントとの間に、タイマーにより電源供給時間を設定された時間に制限するようにした視聴制限装置が提供されている。
【０００５】
上記の特許文献は、次の通りである。
【特許文献１】特開２００６−３５２８１３号公報
【発明の開示】
【発明が解決しようとする課題】
【０００６】
しかしながら、上述した特許文献１のように、テレビ受信機の電源を強制的にオフにする方法の場合には、視聴者にとっての無駄な時間の浪費を避けることはできるが、脳を意識的に働かせることなく、漫然とテレビ放送番組を視聴していた視聴者の脳の活性化を促すことはできないという問題がある。
【０００７】
この発明は、以上の点にかんがみ、視聴者の脳の活性化を促すことができるコンテンツ提供装置を提供することを目的とする。
【課題を解決するための手段】
【０００８】
上記の課題を解決するために、この発明は、
視聴対象のコンテンツを、表示用ディスプレイに出力する出力手段と、
前記コンテンツの視聴者の能動的な対応を生起させる、前記コンテンツとは別の提示情報を、前記コンテンツに代えて前記表示用ディスプレイに表示させる条件の設定入力を受け付ける設定入力受付手段と、
前記設定入力受付手段で受け付けた前記条件の設定入力を記憶する設定入力記憶手段と、
前記提示情報を取得する提示情報取得手段と、
前記設定入力記憶手段に記憶された前記設定入力された前記条件に合致するタイミングになったか否かを判別するタイミング判別手段と、
前記タイミング判別手段で前記条件に合致するタイミングになったと判別したときに、前記提示情報取得手段で取得した前記提示情報を前記コンテンツに代えて、前記出力手段を通じて前記表示用ディスプレイに出力して前記視聴者に提示するようにする提示情報提示手段と、
を備えることを特徴とするコンテンツ提供装置を提供する。
【０００９】
上記の構成のこの発明によるコンテンツ提供装置によれば、予め設定入力された条件に合致するタイミングになると、自動的に、表示画面には、視聴対象のコンテンツに代わって、視聴者の能動的な対応を生起させる提示情報が当該視聴者に強制的に表示されて提示される。したがって、視聴者は、提示された提示情報に対して能動的な対応をすることより、視聴者の脳は活性化させられることになる。
【００１０】
例えば、設定入力された条件に合致するタイミングが電源投入時であれば、視聴者は、脳が活性化されてから、視聴対象のコンテンツの視聴を開始することになる。また、設定入力された条件に合致するタイミングが電源投入時から所定時間後であれば、前記所定時間、漫然と視聴対象のコンテンツを視聴していた視聴者の脳が、提示情報により活性化される。
【発明の効果】
【００１１】
この発明によれば、予め設定入力された条件に合致するタイミングになると、自動的に、表示画面には、視聴対象のコンテンツに代わって、視聴者の能動的な対応を生起させる提示情報が当該視聴者に強制的に表示され、視聴者の脳は活性化させられる。
【発明を実施するための最良の形態】
【００１２】
以下、この発明によるコンテンツ提供装置を、テレビ受信装置に適用した場合の実施形態を、図を参照しながら説明する。テレビ受信装置の実施形態であるので、視聴対象のコンテンツは、基本的には放送番組コンテンツである。
【００１３】
ただし、この実施形態のテレビ受信装置は、情報格納手段として、例えばハードディスク装置を備え、放送番組コンテンツを記録（録画）する機能を備える。したがって、このハードディスク装置に記録された放送番組コンテンツを再生して、それを表示画面に表示して視聴者の視聴に用に提供する場合には、視聴対象コンテンツは、放送番組コンテンツではあっても、記録コンテンツということになる。
【００１４】
また、この実施形態のテレビ受信装置は、例えばパーソナルコンピュータからなるサーバ装置や、ＤＶＤプレーヤ／レコーダなどの再生装置／記録再生装置と、ＬＡＮなどのネットワークを通じて接続する機能を備え、前記サーバ装置や、再生装置、記録再生装置から提供される視聴可能コンテンツを取得し、当該取得した視聴可能コンテンツを表示画面に表示したり、また、前記取得した視聴可能コンテンツを一旦ハードディスク装置に記録して、適宜、再生したりすることができるようにする機能も備える。
【００１５】
その場合の視聴可能コンテンツは、ネットワークを通じた装置からのストリーミングコンテンツや記録コンテンツであるが、当該コンテンツには、映画やドラマなどのコンテンツに限らず、ゲームのコンテンツや、電子書籍などのコンテンツも含むことが可能である。
【００１６】
ただし、以下の説明においては、説明の煩雑さを避けるために、主として、受信した放送番組コンテンツを視聴対象のコンテンツとするものである。
【００１７】
［ハードウエア構成例；図１］
図１は、この実施形態のテレビ受信装置１００のハードウエア構成例を示すものである。
【００１８】
この実施形態のテレビ受信装置１００は、システムバス１０１に対して、テレビ放送受信部１と、ディスプレイコントローラ２を通じてディスプレイ３が接続されていると共に、リモコン受信部４が接続されている。ディスプレイ３は、例えばＬＣＤ（Ｌｉｑｕｉｄ  Ｃｒｙｓｔａｌ  Ｄｉｓｐｌａｙ）で構成される。また、リモコン受信部４は、リモコン送信機５からの例えば赤外線を用いたリモコン信号を受信する構成とされている。
【００１９】
また、システムバスには、このテレビ受信装置の全体の制御を行う制御部１０が接続されている。制御部１０は、マイクロコンピュータを用いた構成とされており、ＣＰＵ（Ｃｅｎｔｒａｌ  Ｐｒｏｃｅｓｓｉｎｇ  Ｕｎｉｔ）１１と、プログラム等が記憶されているＲＯＭ（Ｒｅａｄ  Ｏｎｌｙ  Ｍｅｍｏｒｙ）１２と、ワークエリアとして用いられるＲＡＭ（Ｒａｎｄｏｍ  Ａｃｃｅｓｓ  Ｍｅｍｏｒｙ）１３と、不揮発性メモリ（電源によりバックアップされる場合を含む）の構成とされた設定情報記憶部１４とを備えている。
【００２０】
また、この実施形態では、システムバス１００に対して通信インターフェース６が接続されている。この通信インターフェース６は、この例では、ＬＡＮ（Ｌｏｃａｌ  Ａｒｅａ  Ｎｅｔｗｏｒｋ）２０を通じて、例えばパーソナルコンピュータからなるサーバ２１に接続されている。
【００２１】
また、この実施形態では、システムバス１００に対して、情報格納手段としてのハードディスク装置（図では、ＨＤＤと記載）７が接続されている。このハードディスク装置７には、受信した放送番組コンテンツや、ＬＡＮ２０を通じてサーバ２１から取得した種々のアプリケーションデータ（プログラムと、そのデータとからなる）、その他の情報を書き込んで保存しておくことでき、また、適宜、保存しているデータを、このハードディスク装置７から読み出すことができる。
【００２２】
なお、この実施の形態では、ＬＡＮ２０には、図示は省略したが、ＤＶＤプレーヤ／レコーダなどの再生装置／記録再生装置が接続されており、当該装置から提供される視聴可能コンテンツを取得し、当該取得した視聴可能コンテンツを、そのままストリーミングコンテンツとして表示画面に表示したり、また、当該取得した視聴可能コンテンツを一旦ハードディスク装置に記録して、適宜、再生したりすることができるようにする機能も備える。
【００２３】
リモコン送信機５は、この例では、図２に示すようなものとされる。すなわち、この例のリモコン送信機５は、例えば青、赤、緑、黄の４色にそれぞれ着色された色ボタン５１Ｂ，５１Ｒ，５１Ｇ，５１Ｙ、メニューボタン５２、上下左右の４方向指示ボタン５３、チャンネルアップ／ダウンボタン５４、音量調整ボタン５５、数字キーボタン群５６、などの操作ボタンを備える。この例では、４方向指示ボタン５３は、その中央部に、決定ボタン５３Ｃを備える構成とされている。
【００２４】
また、この例のリモコン送信機５は、タッチペン５７による手書き入力を受け付けるタッチスクリーン入力部５８を備え、このタッチスクリーン入力部５８で受け付けたペン入力情報を、テレビ受信装置１００に送る機能を備える。テレビ受信装置１００は、リモコン受信部４で受けた、リモコン送信機５からのペン入力情報を解析して、ペン入力された文字、記号などを判断し、その判断結果を後処理に利用する機能を備えている。
【００２５】
さらに、この例のリモコン送信機５は、使用者の音声入力を受け付けるためのマイクロホン５９を備え、このマイクロホン５９で収音した音声入力情報を、テレビ受信装置に送出する機能を備えている。テレビ受信装置１００は、リモコン受信部４で受けた、リモコン送信機５からの音声入力情報を音声認識し、その認識結果を後処理に利用する機能を備えている。
【００２６】
［視聴制限設定］
この実施形態のテレビ受信装置１００は、視聴者がテレビ放送番組コンテンツを漫然として視聴することを避けるために、視聴者の脳を活性化するための提示情報を、予め、設定された条件にしたがって強制的に、視聴対象のテレビ放送番組コンテンツに代えて、視聴者に提示することにより視聴制限するようにする。
【００２７】
提示情報としては、この例では、脳を活性化するために、計算問題、漢字の振り仮名問題、４字熟語を完成させる問題、などの問題情報とされる。これらの問題情報は、ＬＡＮ２０を通じて接続されているサーバ（パーソナルコンピュータ）２１から、予め取得して提供することもできるし、必要なときに、その都度、取得して、視聴者に提示することができるように構成されている。
【００２８】
条件の設定入力は、予め、視聴者によりテレビ受信装置１００に対して行われ、テレビ受信装置１００は、設定情報記憶部１４に、設定入力された条件情報が記憶保持される。この場合に、この実施形態では、例えば家庭における家族構成員のそれぞれについて、異なる条件設定ができれば便利であるので、視聴者の複数人について、それぞれ異なる条件が設定でき、かつ、視聴中の視聴者について設定された条件にしたがって、提示情報による視聴対象のテレビ放送番組コンテンツの視聴制限ができるようにしている。
【００２９】
そのようにする場合には、視聴中の視聴者が誰であるかをテレビ受信装置１００が識別できる必要があるので、この実施形態では、設定入力情報には、視聴者を識別するための情報（視聴者識別用情報）も含めるようにする。
【００３０】
この実施形態では、視聴者識別用情報は、リモコン送信機５における視聴者毎の異なる操作の情報を用いるようにしている。視聴者毎の異なる操作としては、種々、考えられるが、以下に説明する例では、４個の色ボタン５１Ｂ、５１Ｒ、５１Ｇ、５１Ｙを電源投入用の操作ボタンとして用いることができるように機能設定すると共に、この例では４人の視聴者のそれぞれに対して、４個の色ボタン５１Ｂ、５１Ｒ、５１Ｇ、５１Ｙのそれぞれを割り付けて、どの色ボタンが操作されて、電源がオンとなったかにより、視聴中の視聴者が誰であるかを識別するようにしている。
【００３１】
そのため、後述するように、設定情報記憶部１４には、４個の色ボタン５１Ｂ、５１Ｒ、５１Ｇ、５１Ｙのいずれが、いずれの視聴者に割り付けられ、かつ、それぞれの視聴者については、視聴制限のために、どのような条件が設定されているかが記憶されるものである。
【００３２】
この例では、４個の色ボタン５１Ｂ、５１Ｒ、５１Ｇ、５１Ｙのそれぞれは、４人の異なる使用者用のテレビ受信装置用の電源オン（電源投入）ボタンとして設定されることができるようにされている。しかし、単に、４個の色ボタン５１Ｂ、５１Ｒ、５１Ｇ、５１Ｙのそれぞれを４人の視聴者に割り付けたとしても、色ボタンの操作のみでは、当該割り付けられた視聴者が、当該割り付けられた色ボタンを操作したかの確認は得られず、誰が操作しても、当該操作された色ボタンに対応して設定された設定条件により視聴制限がかかることになる。
【００３３】
そこで、この例では、色ボタン５１Ｂ、５１Ｒ、５１Ｇ、５１Ｙのそれぞれの押下操作だけでなく、暗証番号の追加入力により、割り付けられた視聴者を確認するようにする。そのために、視聴者識別用情報としては、４個の色ボタン５１Ｂ、５１Ｒ、５１Ｇ、５１Ｙのいずれであるかの情報と、暗証番号とが、設定情報記憶部１４に記憶される。
【００３４】
［視聴制限の条件の設定入力の例］
テレビ受信装置１００に電源が投入されている状態において、例えば、リモコン送信機５のメニューボタン５２を押下すると、ディスプレイ３の表示画面には、視聴制限の条件の設定を、選択可能な機能項目とする、機能項目一覧が表示される。使用者（視聴者）が、リモコン送信機５の４方向指示ボタン５３により、機能項目一覧のうちから視聴制限の条件の設定を選択し、決定ボタン５３Ｃを操作することにより、当該視聴制限の条件の設定が開始される。
【００３５】
視聴制限の条件の設定入力を、図３〜図６のフローチャートおよび図７〜図９のディスプレイ３の表示画面例を参照しながら、以下説明する。なお、図３〜図６のフローチャートにおける各ステップは、制御部１０のＣＰＵ１１が、ＲＯＭ１２に記憶されている視聴制限の条件の設定入力受付のためのプログラムを、ＲＡＭ１３をワークエリアとして使用しながら実行することにより、遂行されるものである。
【００３６】
前述したようにして、メニューの機能項目一覧から視聴制限の条件の設定の項目が選択されて、決定ボタン５３Ｃが操作されると、制御部１０のＣＰＵ１１は、図３のスタートから当該視聴制限の条件の設定の処理ルーチンを開始する。
【００３７】
すなわち、ＣＰＵ１１は、先ず、視聴制限条件設定の初期画面を、ディスプレイ３の表示画面３Ｄに表示する（ステップＳ１）。この例では、視聴制限条件設定の初期画面は、例えば図７に示すように、誰の視聴制限条件を設定するかを決めるための画面とされており、既に設定されている視聴者についての設定項目の存在が、例えばその設定順に、設定１、設定２、・・・のように設定番号で表示される。
【００３８】
そして、この視聴制限条件設定の初期画面においては、各設定項目について、誰についての条件設定であるかが、例えば「パパ」、「ママ」、「タロウ」などのように名前で表示され、また、暗証番号が登録されていることが「＊＊＊＊」で表示される。さらに、各設定項目については、「設定」（修正を含む）作業と「削除」作業ができることが表示される。
【００３９】
また、この視聴制限条件設定の初期画面の下方には、赤色ボタン５１Ｒを押下すると、新規の視聴者についての条件設定を意味する「新規追加」が選択できることが、赤色マーク３１Ｒと、当該「新規追加」の文字により表示され、さらに、緑色ボタン５１Ｇを押下すると、それは「戻る」指示であることが、緑色マーク３１Ｇと、当該「戻る」の文字により表示されている。
【００４０】
この視聴制限条件設定の初期画面において、使用者は、既に設定されている自分の条件について、修正または削除をするときには、自分についての設定項目番号を、リモコン送信機５の４方向カーソルで選択し、「設定」か「削除」かのいずれかを選択して決定ボタン５Ｃを押す。また、自分についての条件が設定されていない、使用者は、「新規追加」を意味する赤色ボタン５１Ｒを押す。
【００４１】
以上のことを踏まえて、ＣＰＵ１１は、ディスプレイ３の表示画面３Ｄに視聴制限条件設定の初期画面が表示されているときには、先ず、リモコン受信部４の受信情報を監視して、使用者により設定項目番号の選択がなされたか否か判別する（ステップＳ２）。
【００４２】
このステップＳ２で、設定項目番号の選択がなされてはいないと判別したときには、ＣＰＵ１１は、赤色ボタン５１Ｒが押下操作されたことにより、「新規追加」が選択されたか否か判別する（図４のステップＳ１１）。
【００４３】
このステップＳ１１で、「新規追加」が選択されていないと判別したときには、ＣＰＵ１１は、緑色ボタン５１Ｇが押下操作されたことにより、「戻る」が選択されたか否か判別し（ステップＳ１２）、「戻る」が選択されていないときには、図３のステップＳ２に戻る。また、ステップＳ１２で、「戻る」が選択されたと判別したときには、ＣＰＵ１１は、この処理ルーチンを終了して、メニュー表示画面に戻る。
【００４４】
また、ステップＳ１１で、「新規追加」が選択されたと判別したときには、ＣＰＵ１１は、条件を設定する対象者の名前と、暗証番号の入力を促すメッセージを、表示画面３Ｄに表示する（ステップＳ１３）。なお、設定入力は、設定入力者本人が自分についての設定条件を入力する場合のみではなく、設定入力者本人以外の者の設定を行う場合もある。例えば父親が子供についての設定条件を入力する場合などである。
【００４５】
次に、ＣＰＵ１１は、名前の入力の受付と、暗証番号の入力の受付とが完了したか否かを判断し（ステップＳ１４）、前記入力受付が完了した判断したときには、受け付けた条件設定対象者の名前と、暗証番号とを、新規の設定項目番号に対応させて設定情報記憶部１４に格納して記憶する（ステップＳ１５）。そして、ＣＰＵ１１は、図３のステップＳ１０に進み、詳細設定の初期画面を表示して、後述する設定する条件の詳細設定に移行する。
【００４６】
また、ステップＳ１４で、名前の入力の受付と、暗証番号の入力の受付とが完了していないと判別したときには、ＣＰＵ１１は、緑色ボタン５１Ｇが押下操作されたことにより、「戻る」が選択されたか否か判別し（ステップＳ１６）、「戻る」が選択されていないときには、ステップＳ１４に戻って、名前および暗証番号の入力完了を待つ。また、ステップＳ１６で、「戻る」が選択されたと判別したときには、ＣＰＵ１１は、図３のステップＳ２に戻る。
【００４７】
そして、ステップＳ２で、使用者により設定項目番号の選択がなされたと判別したときには、ＣＰＵ１１は、暗証番号の入力を促すメッセージを表示画面３Ｄに表示する（ステップＳ３）。設定入力者は、選択した設定項目番号の条件設定対象者に対応して、予め設定してある暗証番号を入力することになる。
【００４８】
ＣＰＵ１１は、暗証番号の入力を受け付けたか否か判別し（ステップＳ４）、受け付けていないときには、緑色ボタン５１Ｇが押下操作されたことにより、「戻る」が選択されたか否か判別し（ステップＳ５）、「戻る」が選択されていないと判別したときには、ステップＳ４に戻り、暗証番号の入力を待つ。また、ステップＳ５で、「戻る」が選択されたと判別したときには、ＣＰＵ１１は、この処理ルーチンを終了して、メニュー表示画面に戻る。
【００４９】
ステップＳ４で、暗証番号の入力を受け付けたと判別したときには、ＣＰＵ１１は、選択された設定項目番号に対応して記憶している暗証番号と、入力された暗証番号との照合を行い、その照合がＯＫであるか否か判別する（ステップＳ６）。
【００５０】
そして、照合の結果、入力された暗証番号と記憶されていた暗証番号とが不一致であって、照合がＮＧであると判別したときには、ＣＰＵ１１は、入力された暗証番号が正しくないことを通知すると共に、暗証番号の再入力を促すメッセージを表示画面３Ｄに表示し（ステップＳ７）、その後、ステップＳ４に戻って、暗証番号の入力を待つ。
【００５１】
ステップＳ６で、暗証番号の照合がＯＫであると判別したときには、ＣＰＵ１１は、選択された処理項目が「設定」であるか、「削除」であるかを判別する（ステップＳ８）。そして、ステップＳ８で、「削除」であると判別したときには、ＣＰＵ１１は、設定情報記憶部１４から、選択された設定項目番号について設定入力されて記憶されていた条件情報（条件設定対象者および暗証番号の情報を含む）を削除する（ステップＳ９）。そして、ステップＳ１に戻る。
【００５２】
また、ステップＳ８で、「設定」であると判別したときには、ＣＰＵ１１は、ステップＳ１０に進み、詳細設定の初期画面を表示して、設定する条件の詳細設定に移行する。図８に、詳細設定の初期画面の例を示す。
【００５３】
図８に示すように、この実施形態においては、詳細設定できる項目は、
（１）電源オンとするために、４個の色ボタン５１Ｂ、５１Ｒ、５１Ｇ、５１Ｙのうちの何色のボタンを用いるかの設定
（２）電源オンした後に、自動電源オフとする時間の設定
（３）提示情報としての問題情報を、電源オンの直後に提示する条件になっている場合において、視聴者が電源起動後には問題をすぐには行なわない場合に、一定時間毎に問題情報を提示するスヌーズ機能を使うかどうかの設定、使用する場合には、前記一定時間の設定
（４）提示する問題の選択設定
とされている。
【００５４】
項目（２）の自動電源オフの時間は、設定しても、また、設定しなくてもよい。また、項目（３）は、電源起動後に、問題をすぐに行いたくない場合に、問題提示画面において、問題を後でやるように断れる機能が、この実施形態では設けられているが、その場合に、問題提示に関してスヌーズ機能を使用するか否かの設定である。
【００５５】
なお、図８に示すように、この詳細設定の初期画面においては、当該条件の設定は、誰についての条件設定であるかが、表示画面３Ｄの上部の名前表示３２Ｎにより報知されるようにされている。
【００５６】
また、この詳細設定の初期画面の下方には、赤色ボタン５１Ｒを押下すると、新しい問題がダウンロードできることが、赤色マーク３２Ｒと、「新しい問題をダウンロード」の文字により表示され、また、青色ボタン５１Ｂを押下すると、それは「決定」指示であることが、青色マーク３２Ｂと、当該「決定」の文字により表示されている。さらに、緑色ボタン５１Ｇを押下すると、それは「戻る」指示であることが、緑色マーク３２Ｇと、当該「戻る」の文字により表示されている。
【００５７】
この詳細設定の初期画面において表示されている問題の情報は、サーバ２１から取得してハードディスク装置７に格納されているとされている。赤色ボタン５１Ｒを押下して、「新しい問題をダウンロード」を指示すると、ＣＰＵ１１は、通信インターフェース６およびＬＡＮ２０を通じてサーバ２１にアクセスし、当該サーバ２１に記憶されている、新しい問題の情報を取得し、取得した問題情報を、ハードディスク装置７に格納する。そして、ＣＰＵ１１は、詳細設定の初期画面を新たに取得した問題を、問題一覧に加えたものに変更するようにする。
【００５８】
また、この詳細設定の初期画面においては、図８に示すように、問題一覧にリスト表示されている各問題については、さらに、使用者により、リモコン送信機５の４方向指示ボタン５３が操作されて「詳細設定」が選択されたときには、当該問題についての条件の詳細設定ができるように構成されている。使用者により、問題についての詳細設定が選択されると、ＣＰＵ１１は、それぞれの問題についての詳細設定画面を、表示画面３Ｄに表示する。
【００５９】
例えば、詳細設定の初期画面の問題一覧のうちの、「百ます計算」の詳細設定が選択されたときに、表示画面３Ｄに表示される当該「百ます計算」の詳細設定画面の例を図９に示す。
【００６０】
図９に示すように、この実施形態においては、問題について詳細設定できる項目は、
（Ａ）どのくらいの頻度で問題を提示して、視聴者に問題を行わすかの設定
（Ｂ）結果を、サーバにアップロードするか否かの設定
とされている。これは、問題が「百ます計算」の場合のみではなく、他の問題についても同様の詳細設定項目とすることができる。
【００６１】
そして、（Ａ）の項目としては、
（ａ１）電源オンにしたときに、毎回、詳細設定対象の問題を提示するのか
（ａ２）１日において、決まった回数だけ詳細設定対象の問題を提示するのか
（ａ３）放送番組コンテンツではなく、記録コンテンツを再生するときに、そのタイトル再生時、つまり、記録コンテンツの再生開始時に詳細設定対象の問題を提示するのか
（ａ４）希望時に、詳細設定対象の問題を提示するのか
の選択設定が可能である。この場合、（ａ１）〜（ａ４）の項目のうちのいずれか一つを選択するようにしてもよいし、また、複数選択が可能とするようにしてもよい。
【００６２】
なお、（ａ２）の「決まった回数だけ詳細設定対象の問題を提示する」が選択されたときには、その回数の設定入力が可能とされている。
【００６３】
また、（ａ４）の「希望時」とは、リモコン送信機５を通じた視聴者の所定のボタン操作があったときである。例えば、この（ａ４）が選択されたときには、メニューボタン５２が押されると、選択可能項目の中に、「問題提示開始」が含まれ、当該「問題提示開始」が視聴者により選択されると、当該視聴者に対応して設定されている問題が提示されるものである。
【００６４】
また、リモコン送信機５に「問題提示ボタン」を設けておくようにしてもよい。その場合には、条件として（ａ４）が選択されている視聴者が、リモコン送信機５により電源オンにして、視聴しているときには、リモコン送信機５の「問題提示ボタン」を押下すると、即座に、設定されている問題が表示画面に提示されるようにされるものである。
【００６５】
なお、問題の提示タイミングとして、例えば夜８時以降などの時間帯を設定することができるようにしてもよい。
【００６６】
上記（Ｂ）の設定は、問題解答結果を、視聴者毎に、サーバ２１にアップロードして記憶しておく機能である。サーバ２１ではなく、テレビ受信装置１００のハードディスク装置７に視聴者毎の解答結果を蓄積しておくようにしても良い。
【００６７】
このように、視聴者毎に、問題の解答結果を蓄積しておくことにより、登録してある複数人の視聴者内で、問題についての成績のランキングを作成することもできる。また、子供学習サイトと連携して、点数、早さを競って、ランキング表示しても良い。また、毎日、問題を行うことで、ポイントを貯めていき、景品と交換できたり、景品（情報）をダウンロードできたりしてもよい。
【００６８】
この問題の詳細設定画面においても、図９に示すように、表示画面３Ｄの下方には、赤色ボタン５１Ｒを押下すると、新しい問題がダウンロードできることが、赤色マーク３３Ｒと、「新しい問題をダウンロード」の文字により表示され、また、青色ボタン５１Ｂを押下すると、それは「決定」指示であることが、青色マーク３３Ｂと、当該「決定」の文字により表示されている。さらに、緑色ボタン５１Ｇを押下すると、それは「戻る」指示であることが、緑色マーク３３Ｇと、当該「戻る」の文字により表示されている。また、図９に示すように、当該問題の提示時期についての詳細設定が、誰についての条件設定であるかが、表示画面３Ｄの上部の名前表示３３Ｎにより報知されるようにされている。
【００６９】
以上のことを踏まえて、ＣＰＵ１１は、ステップＳ１０で詳細設定の初期画面を表示した後、詳細設定項目の設定入力を受け付ける（図５のステップＳ２１）。そして、ＣＰＵ１１は、詳細設定項目の設定入力の受付を完了したか否か判別し（ステップＳ２２）、完了していないと判別したときには、問題についての詳細設定が選択されたか否か判別する（ステップＳ２３）。
【００７０】
ステップＳ２３で、問題についての詳細設定が選択されていないと判別したときには、ＣＰＵ１１は、赤色ボタン５１Ｒが押下されて、「新しい問題をダウンロード」が選択されたか否か判別する（ステップＳ２４）。
【００７１】
ステップＳ２４で、「新しい問題をダウンロード」が選択されたと判別したときには、ＣＰＵ１１は、ＬＡＮ２０を通じてサーバ２１にアクセスし、新しい問題情報を、当該サーバ２１からダウンロードし、ハードディスク装置７に格納する（ステップＳ２５）。そして、ＣＰＵ１１は、表示画面３Ｄの表示を、新しく取得した問題を、問題一覧に加えた詳細設定の初期画面にして（ステップＳ２６）、ステップＳ２１に戻る。
【００７２】
また、ステップＳ２４で、「新しい問題をダウンロード」は選択されていないと判別したときには、ＣＰＵ１１は、緑色ボタン５１Ｇが押下操作されたことにより、「戻る」が選択されたか否か判別し（ステップＳ２７）、「戻る」が選択されていないと判別したときには、ステップＳ２１に戻る。また、ステップＳ２７で、「戻る」が選択されたと判別したときには、ＣＰＵ１１は、ステップＳ１に戻り、一つ前の表示画面である視聴制限の初期画面を表示する。
【００７３】
また、ステップＳ２２で、詳細設定受付完了と判別したときには、ＣＰＵ１１は、設定入力された詳細設定情報を、設定情報記憶部１４に書き込んで記憶し（ステップＳ２８）、その後、この処理ルーチンを終了する。
【００７４】
そして、ステップＳ２３で、問題の詳細設定が選択されたと判別したときには、ＣＰＵ１１は、問題の詳細設定画面を表示画面３Ｄに表示し（図６のステップＳ３１）、問題の詳細設定項目の設定入力を受け付ける（ステップＳ３２）。
【００７５】
そして、ＣＰＵ１１は、問題の詳細設定の受付を完了したか否かを、使用者により決定入力がなされたか否かにより判別し（ステップＳ３３）、問題の詳細設定の受付を完了したと判別したときには、図３のステップＳ１０の詳細設定の初期画面に戻り、このステップＳ１０以降の処理を繰り返す。
【００７６】
また、ステップＳ３３で、問題の詳細設定の受付を完了してはいないと判別したときには、ＣＰＵ１１は、赤色ボタン５１Ｒが押下されて、「新しい問題をダウンロード」が選択されたか否か判別する（ステップＳ３４）。
【００７７】
ステップＳ３４で、「新しい問題をダウンロード」が選択されたと判別したときには、ＣＰＵ１１は、ＬＡＮ２０を通じてサーバ２１にアクセスし、新しい問題情報を、当該サーバ２１からダウンロードし、ハードディスク装置７に格納する（ステップＳ３５）。そして、ＣＰＵ１１は、表示画面３Ｄの表示を、新しく取得した問題を、問題一覧に加えた詳細設定の初期画面にして（ステップＳ３６）、図５のステップＳ２１に戻る。
【００７８】
また、ステップＳ３４で、「新しい問題をダウンロード」は選択されていないと判別したときには、ＣＰＵ１１は、緑色ボタン５１Ｇが押下操作されたことにより、「戻る」が選択されたか否か判別し（ステップＳ３７）、「戻る」が選択されていないと判別したときには、ステップＳ３２に戻る。また、ステップＳ３７で、「戻る」が選択されたと判別したときには、ＣＰＵ１１は、図３のステップＳ１０に戻り、一つ前の表示画面である詳細設定の初期画面を表示し、上述したステップＳ１０以降の処理を繰り返す。
【００７９】
［設定入力された条件に基づく視聴制限の例］
以上のようにして視聴制限の条件の設定入力が終了した後、ある視聴者により、当該視聴者用に設定された色ボタンが押下されてテレビ受信装置１００の電源がオンとされると、当該電源をオンにした視聴者について設定された条件にしたがって、テレビ放送番組コンテンツや、ＬＡＮ２０を通じて取得するストリーミングコンテンツあるいはハードディスク装置７に記憶された記録コンテンツについての視聴制限が実行される。
【００８０】
図１０〜図１２は、この視聴制限動作例を説明するためのフローチャートである。このフローチャートの各ステップも、制御部１０のＣＰＵ１１が、ＲＯＭ１２に記憶されている視聴制限の条件の設定入力受付のためのプログラムを、ＲＡＭ１３をワークエリアとして使用しながら実行することにより、遂行されるものである。なお、この図１０〜図１２のフローチャートでは、説明を簡単にするため、テレビ放送番組のコンテンツと記録コンテンツを視聴対象コンテンツとした場合についての視聴制限について説明したが、ストリーミングコンテンツについても全く同様のして視聴制限することができることは言うまでもない。
【００８１】
ＣＰＵ１１は、先ず、視聴者によりリモコン送信機５の４個の色ボタン５１Ｂ，５１Ｒ，５１Ｇ，５１Ｙのいずれかが押下されるのを監視して、電源がオンとされるのを待つ（ステップＳ４１）。
【００８２】
ステップＳ４１で色ボタン（電源ボタン）の操作により電源がオンとされたと判別したときには、ＣＰＵ１１は、テレビ受信装置１００に電源を投入すると共に、押下された色ボタンは、誰用であるかを設定情報記憶部１４に記憶されている設定情報から認識する（ステップＳ４２）。このとき、同時に認識した視聴者用の他の設定情報を、視聴制限のために使用する情報として認識する。
【００８３】
次に、ＣＰＵ１１は、暗証番号の入力を促すメッセージをディスプレイ３の表示画面に表示する（ステップＳ４３）。そして、視聴者からの暗証番号の入力を待ち（ステップＳ４３）、暗証番号の入力を受け付けたら、入力された暗証番号と、ステップＳ４２で認識された視聴者について設定入力されて設定情報記憶部１４に記憶されている暗証番号とを比較して、両者が一致しているか否かにより照合を行い、照合がＯＫであるか否か判別する（ステップＳ４５）。
【００８４】
ステップＳ４５で、入力された暗証番号と記憶されている暗証番号とが不一致で、照合がＮＧであると判別したときには、ＣＰＵ１１は、この例では、テレビ受信装置１００を電源オフ状態に戻して（ステップＳ４６）、この処理ルーチンを終了する。なお、即座に電源オフ状態に戻すのではなく、再度の暗証番号の入力を促し、当該再度の暗証番号によっても照合がＮＧであったときに、電源オフに戻すようにしてもよい。また、視聴者が暗証番号を忘れる場合を考慮して、暗証番号の再設定画面に遷移させるようにしてもよい。
【００８５】
ステップＳ４５で、入力された暗証番号と記憶されている暗証番号とが一致していて照合がＯＫであると判別したときには、電源をオンにした視聴者について設定されている条件として、「電源起動時に問題をやる」に設定されているか否か判別する（ステップＳ４７）。
【００８６】
ステップＳ４７で、「電源起動時に問題をやる」に設定されていると判別したときには、ＣＰＵ１１は、設定されている問題の情報をハードディスク装置７から読み出して、ディスプレイ３の表示画面３Ｄに問題を提示し、視聴者からの解答を受け取る（図１１のステップＳ５１）。このとき、ＣＰＵ１１は、時間の計測を開始し、問題終了までの時間を計測するようにする。そして、ＣＰＵ１１は、問題は全て解答し終わって、問題終了となったか否か判別し（ステップＳ５２）、終了ではないと判別したときには、ステップＳ５１に戻って、問題提示および視聴者からの解答の受け取りを継続する。
【００８７】
なお、ステップＳ５１における視聴者からの解答は、リモコン送信機５におけるボタン操作のみではなく、タッチペン５７を用いたタッチスクリーン５８への文字入力操作や、マイクロホン５９を用いた音声による解答であってもよい。
【００８８】
また、ステップＳ５２で、問題終了であると判別したときには、ＣＰＵ１１は、問題の解答結果を表示画面３Ｄに表示する（ステップＳ５３）。このとき、設定条件が「解答結果をサーバ２１にアップロードする」に設定されているときには、今回の視聴者による問題解答の情報をサーバ２１にアップロードする。
【００８９】
サーバ２１は、前回までにアップロードされていた問題解答の情報に加えて、今回の問題解答を反映した問題解答結果の情報を生成し、それをテレビ受信装置１００にダウンロードする。テレビ受信装置１００は、受信した問題解答結果を表示画面３Ｄに表示する。このときの問題解答結果の表示画面の例を図１３に示す。
【００９０】
なお、この問題回答結果の画面においては、問題別の結果を日別や月別に表示したり、その日の最高タイム（問題を解くのに要した時間の最高タイム）を表示したりするようにすることもできるし、図１３に示すように、解答結果の良し悪しをマークで表示しても良い。また、音声で結果を視聴者に伝えてもよい。さらに、カレンダーを表示して問題を行った日の表示をしてもよい。
【００９１】
なお、この問題の解答結果（スコア）が悪い場合に、所定のスコア以下である視聴者に対しては、同じ問題、または、同種の問題を繰り返し提示するように構成してもよい。
【００９２】
このステップＳ５３の次には、テレビ放送番組コンテンツを受信して、表示画面３Ｄにその再生画像を表示する（ステップＳ５４）。このとき表示されるテレビ放送番組コンテンツは、電源オフにされたときに、テレビ放送受信部１で選択されていたチャンネルの放送番組コンテンツとされるのは、通常の場合と同様である。
【００９３】
ステップＳ４７で、「電源起動時に問題をやる」に設定されていないと判別したときには、ＣＰＵ１１は、ステップＳ４７から即座にステップＳ５４に飛び、テレビ放送番組コンテンツを受信して、表示画面３Ｄにその受信画像を表示する。
【００９４】
このステップＳ５４におけるテレビ放送番組コンテンツの視聴状態においては、視聴者がリモコン送信機５におけるチャンネルアップ／ダウンボタン５４による選局操作や、数字キーボタン群５６の数字キーを用いた選局操作を行うと、ＣＰＵ１１は、その操作を解析して、その解析結果に応じてテレビ放送受信部１を制御する。これにより、視聴者は、希望する任意の放送番組コンテンツを視聴することができる。また、音量調整ボタン５５が視聴者により操作されると、ＣＰＵ１１は、その操作に応じて視聴中の放送番組コンテンツについての再生音量を、操作に応じて制御する。
【００９５】
この実施形態では、前述したように、電源投入時のみではなく、「一日に決まった回数だけ問題を行う」、「希望時に問題を行う」、などの設定が可能となっているので、当該設定された問題提示タイミングとなったかどうかを、テレビ放送番組コンテンツの視聴中にも判別する。
【００９６】
この場合、「一日に決まった回数だけ問題を行う」が設定されていた場合には、ＣＰＵ１１は、電源がオンにされた時刻を基にして、条件を満足するように問題を提示するように当日中に問題を提示するタイミング時刻を計算し、その計算結果に基づいて、時刻監視を行い、問題提示タイミングになったか否か判断するようにする。
【００９７】
また、「希望時に問題を行う」が設定されていた場合には、ＣＰＵ１１は、前述したリモコン送信機５における「問題提示開始」を意味するボタン操作を監視し、当該ボタン操作があったときに問題提示タイミングになったと判断するようにする。
【００９８】
以上のことを踏まえ、ＣＰＵ１１は、ステップＳ５４に次には、上述したような問題提示タイミングになったか否か判別し（ステップＳ５５）、問題提示タイミングとなったと判別したときには、ステップＳ５１に戻り、表示画面３Ｄの表示内容を、それまで視聴されていたテレビ放送番組コンテンツから、設定されている問題の提示画面に切り換え、視聴者からの解答を受け取るようにする。そして、ステップＳ５１以降の処理を繰り返す。
【００９９】
また、ステップＳ５５で、問題提示タイミングではないと判別したときには、ＣＰＵ１１は、視聴者のリモコン送信機５における、ハードディスク装置７の記録コンテンツの再生指示操作（図２のリモコン送信機５では、その操作ボタンの図示は省略）がなされたか否か判別する（ステップＳ５６）。
【０１００】
このステップＳ５６で、記録コンテンツの再生指示操作はなされていないと判別したときには、ＣＰＵ１１は、視聴者により電源オフ操作がなされたか否か、あるいは、設定された自動電源オフタイミングになったか否か判別し（ステップＳ５７）、電源オフ操作がなされた、あるいは、自動電源オフタイミングになったと判別したときには、テレビ受信装置１００の電源をオフとして（ステップＳ５８）、この処理ルーチンを終了する。なお、この例で、電源オフ操作は、図２では図示を省略したリモコン送信機５の電源オフ操作ボタンの押下操作によりなされる。
【０１０１】
なお、自動電源オフのタイミングが近づいたとき、電源オフにする前に電源オフの予告をするようにするとよい。
【０１０２】
また、ステップＳ５７で、電源オフ操作はなされていない、あるいは、自動電源オフタイミングになってはいないと判別したときには、ＣＰＵ１１は、ステップＳ５４に戻り、テレビ放送番組コンテンツの視聴画面を継続する。
【０１０３】
また、ステップＳ５６で、記録コンテンツの再生指示操作がなされたと判別したときには、設定情報記憶部１４に記憶されている設定条件は、「記録コンテンツの再生開始時（タイトル再生時）に問題を提示する」となっているかどうかにより、問題を記録コンテンツの再生に先立ち提示するか否かを判別する（ステップＳ５９）。
【０１０４】
ステップＳ５９で、問題を記録コンテンツの再生に先立ち提示すると設定されていると判別したときには、ＣＰＵ１１は、設定されている問題の情報をハードディスク装置７から読み出して、ディスプレイ３の表示画面３Ｄに問題を提示し、視聴者からの解答を受け取る（図１２のステップＳ６１）。そして、ＣＰＵ１１は、問題は全て解答し終わって、問題終了となったか否か判別し（ステップＳ６２）、終了ではないと判別したときには、ステップＳ６１に戻って、問題提示および視聴者からの解答の受け取りを継続する。
【０１０５】
また、ステップＳ６２で、問題終了であると判別したときには、ＣＰＵ１１は、問題の解答結果を表示画面３Ｄに表示する（ステップＳ６３）。このとき、設定条件が「解答結果をサーバ２１にアップロードする」に設定されているときには、今回の視聴者による問題解答の情報をサーバ２１にアップロードする。
【０１０６】
サーバ２１は、前回までにアップロードされていた問題解答の情報に加えて、今回の問題解答を反映した問題解答結果の情報を生成し、それをテレビ受信装置１００にダウンロードする。テレビ受信装置１００は、受信した問題解答結果を表示画面３Ｄに表示する。
【０１０７】
このステップＳ５３の次には、視聴者により再生を指示された記録コンテンツを、ハードディスク装置７から読み出して、表示画面３Ｄにその再生画像を表示する（ステップＳ６４）。
【０１０８】
次に、ＣＰＵ１１は、ステップＳ４７と同様にして、問題提示タイミングになったか否か判別し（ステップＳ６５）、問題提示タイミングとなったと判別したときには、ステップＳ６１に戻り、表示画面３Ｄの表示内容を、それまで視聴されていた記録コンテンツから、設定されている問題の提示画面に切り換え、視聴者からの解答を受け取るようにする。そして、ステップＳ６１以降の処理を繰り返す。
【０１０９】
また、ステップＳ６５で、問題提示タイミングではないと判別したときには、ＣＰＵ１１は、再生指示された記録コンテンツの再生が終了（記録コンテンツの最後まで再生されたときのみではなく、再生ストップ操作がなされたときを含む）したか否か判別し（ステップＳ６６）、終了していないと判別したときには、視聴者により電源オフ操作がなされたか否か、あるいは、設定された自動電源オフタイミングになったか否か判別し（ステップＳ６７）、電源オフ操作がなされた、あるいは、自動電源オフタイミングになったと判別したときには、テレビ受信装置１００の電源をオフとして（ステップＳ６８）、この処理ルーチンを終了する。
【０１１０】
また、ステップＳ６７で、電源オフ操作はなされていない、あるいは、自動電源オフタイミングになってはいないと判別したときには、ＣＰＵ１１は、ステップＳ６４に戻り、記録コンテンツの視聴画面を継続しつつ、問題提示タイミングになったか否か監視するようにする。
【０１１１】
また、ステップＳ６６で、記録コンテンツの再生終了であると判別したときには、ステップＳ５４に戻り、テレビ放送番組コンテンツの視聴画面を表示画面３Ｄに表示するようにする。そして、このステップＳ５４以降の処理を繰り返す。
【０１１２】
［その他の実施形態または変形例］
なお、上述の実施形態では、新しい問題は、ＬＡＮ２０を通じてサーバ２１から取得するように説明したが、テレビ受信装置１００がインターネットにアクセスする機能を備えるときには、当該テレビ受信装置１００がインターネット上にある問題提供サーバにアクセスして、取得するようにしてもよい。
【０１１３】
また、新しい問題の情報は、ネットワークから取得する場合に限られず、例えばＣＤ（Ｃｏｍｐａｃｔ  Ｄｉｓｃ）−ＲＯＭやＤＶＤ（Ｄｉｇｉｔａｌ  Ｖｅｒｓａｔｉｌｅ  Ｄｉｓｃ）−ＲＯＭなどに、予め問題情報を格納したものを、視聴者に提供するようにしても良い。その場合には、視聴者は、提供されたＣＤ−ＲＯＭやＤＶＤ−ＲＯＭに格納されている問題情報をサーバ２１に格納したり、テレビ受信装置１００が、それらのディスクドライブを備える場合には、テレビ受信装置１００のハードディスク装置７に格納したりすることができる。
【０１１４】
また、いくつの典型的な問題の情報は、予めハードディスク装置７に記憶させておくようにすることも、もちろんできる。
【０１１５】
また、上述の実施形態では、視聴者識別用情報は、リモコン送信機５の４個の色ボタンと暗証番号とを用いるようにしたが、暗証番号を用いずに色ボタンのみを視聴者に対応させるようにしてもよい。
【０１１６】
また、リモコン送信機５に指紋認証手段や、指静脈認証手段、虹彩認証手段などの個人認証手段を設けておき、個人認証手段による個人認証情報を、視聴者識別用情報としてもよい。すなわち、個人認証情報を設定情報記憶部１４に視聴者に対応して記憶しておき、電源ボタンを操作した視聴者により入力された個人認証手段への指紋や指静脈、虹彩などの個人認証情報と、記憶した個人認証情報とを比較して、視聴者を識別するようにすることができる。
【０１１７】
なお、以上は、コンテンツ提供装置が、ディスプレイを備えるテレビ受信装置である場合について説明したが、ディスプレイは、別体のものであってもよい。例えば、コンテンツ提供装置がコンテンツ提供サーバで構成され、このコンテンツ提供サーバとディスプレイとが、ＤＬＮＡ（Ｄｉｇｉｔａｌ  Ｌｉｖｉｎｇ  Ｎｅｔｗｏｒｋ  Ａｌｌｉａｎｃｅ）規格のネットワークで接続されていてもよい。
【０１１８】
また、この発明の対象となるコンテンツ提供装置は、テレビ放送番組コンテンツを提供するテレビ受信装置に限らず、例えばＤＶＤプレーヤなどの再生装置や、ＤＶＤレコーダなどの記録再生装置などの映像／音声コンテンツの提供装置であってもよい。さらに、ゲームコンテンツを提供するゲーム機も、この発明のコンテンツ提供装置の対象とすることができる。
【０１１９】
また、提供コンテンツは、映像コンテンツに限らず、ゲームコンテンツ、電子書籍のテキストコンテンツなど、ディスプレイに表示されるコンテンツであれば、この発明の対象とすることができる。
【図面の簡単な説明】
【０１２０】
【図１】この発明によるコンテンツ提供装置の実施形態としてのテレビ受信装置の構成例を示す図である。
【図２】図１の例のテレビ受信装置用のリモコン送信機の一例を説明するための図である。
【図３】この発明の実施形態における視聴制限の条件設定入力の流れを説明するためのフローチャートの一部である。
【図４】この発明の実施形態における視聴制限の条件設定入力の流れを説明するためのフローチャートの一部である。
【図５】この発明の実施形態における視聴制限の条件設定入力の流れを説明するためのフローチャートの一部である。
【図６】この発明の実施形態における視聴制限の条件設定入力の流れを説明するためのフローチャートの一部である。
【図７】この発明の実施形態における視聴制限の条件設定入力を説明するための設定画面の表示例を示す図である。
【図８】この発明の実施形態における視聴制限の条件設定入力を説明するための設定画面の表示例を示す図である。
【図９】この発明の実施形態における視聴制限の条件設定入力を説明するための設定画面の表示例を示す図である。
【図１０】この発明の実施形態における視聴制限処理動作の流れを説明するためのフローチャートの一部である。
【図１１】この発明の実施形態における視聴制限処理動作の流れを説明するためのフローチャートの一部である。
【図１２】この発明の実施形態における視聴制限処理動作の流れを説明するためのフローチャートの一部である。
【図１３】この発明の実施形態における視聴制限処理動作の流れを説明するために用いる図である。
【符号の説明】
【０１２１】
１…テレビ放送受信部、３…ディスプレイ、４…リモコン受信部、５…リモコン送信機、１０…制御部、２０…ＬＡＮ、２１…サーバ
【図１】
2009005047.tif 000003
【図２】
2009005047.tif 000004
【図３】
2009005047.tif 000005
【図４】
2009005047.tif 000006
【図５】
2009005047.tif 000007
【図６】
2009005047.tif 000008
【図７】
2009005047.tif 000009
【図８】
2009005047.tif 000010
【図９】
2009005047.tif 000011
【図１０】
2009005047.tif 000012
【図１１】
2009005047.tif 000013
【図１２】
2009005047.tif 000014
【図１３】
2009005047.tif 000015